(57)【特許請求の範囲】
【請求項１】
貝殻からなる接触材が充填された貝殻接触ばっ気室を有し、この貝殻接触ばっ気室に汚水を導入して浄化するように構成された汚水浄化装置において、上記接触材として、少なくとも内面側の真珠層を除去した貝殻を使用したことを特徴とする汚水浄化装置。
【請求項２】
上記貝殻接触ばっ気室の下流側部に、石炭系の活性炭が充填された活性炭吸着室を備えたことを特徴とする請求項１に記載の汚水浄化装置。
【請求項３】
上記貝殻接触ばっ気室の上流側部に脱窒室を設置するとともに、この脱窒室内に、膜体容器内に水素供与体が封入されたバイオリアクターを配設したことを特徴とする請求項１または２に記載の汚水浄化装置。
【発明の詳細な説明】
技術分野
この発明は、トイレから排出された屎尿水等からなる汚水を迅速かつ高度に浄化処理することができる汚水浄化装置に関するものである。
背景技術
従来、例えば、特開平９−３７９９６号公報に示すように、カキ殻を接触材として汚水をばっ気処理するばっ気処理室により、トイレから導出された屎尿水等からなる汚水を高度に浄化処理し、この浄化水を水洗トイレ用の洗浄水等として再利用するようにした高度浄化処理槽が知られている。この高度浄化処理槽は、カキ殻からなる接触材を有するばっ気処理室を有しているため、このカキ殻から溶出した炭酸カルシウムにより、酸性化した汚水を中性化することが可能であるとともに、カキ殻の表面で汚水を効果的にばっ気処理して分解浄化することが可能であるという利点を有している。
しかし、上記高度浄化処理槽のばっ気室に配設される接触材としてカキ殻を使用した場合には、上記高度浄化処理槽の使用開始後、所定期間が経過しないと、上記汚水の中性化作用および分解浄化作用等が充分に発揮されず、立ち上がりに時間を要するという問題があった。
本発明は、上記の点に鑑みてなされたものであり、立ち上がりに時間を要することなく汚水を効果的に浄化することができる汚水浄化装置を提供することを目的している。
発明の開示
本発明は、貝殻からなる接触材が充填された貝殻接触ばっ気室を有し、このばっ気室に汚水を導入して浄化するように構成された汚水浄化装置において、上記接触材として、少なくとも内面側の真珠層を除去した貝殻を使用したものである。このように表面の真珠層を除去することにより多孔質の角柱層が露出した貝殻は、汚水を浄化する微生物等との親和性が高いとともに、成分が溶解し易いため、汚水浄化用の接触材として優れた機能を有している。
また、本発明は、上記貝殻接触ばっ気室の下流側部に、石炭系の活性炭が充填された活性炭吸着室を配設したものである。このように構成した場合には、上記ばっ気室において浄化処理された処理水が、上記活性炭吸着室に供給されて効果的に脱色されることになる。
また、本発明は、上記貝殻接触ばっ気室の上流側部に脱窒室を設置するとともに、この脱窒室内に、膜体容器内に水素供与体が封入されたバイオリアクターを配設したものである。このように構成した場合には、上記膜体容器の表面に付着した脱窒菌による上記水素共用体を利用した脱窒作用により、処理水中にアンモニア成分が、亜硝酸および硝酸を経て窒素ガスに変化して除去されることになる。
【図面の簡単な説明】
第１図は、本発明に係る汚水浄化装置の第１実施形態を示す斜視図である。第２図は、上記汚水浄化装置の第１実施形態を示す説明図である。第３図は、貝殻の構成を示す断面図である。第４図は、本発明に係る汚水浄化装置に使用される貝殻の構成を示す断面図である。第５図は、循環手段の具体的構成を示す斜視図である。第６図は、本発明に係る汚水浄化装置の第２実施形態を示す説明図である。第７図は、本発明に係る汚水浄化装置の第３実施形態を示す説明図である。
発明を実施するための最良の形態
本発明をより詳細に説述するために、添付の図面に従ってこれを説明する。
第１図および第２図は、本発明に係る汚水浄化装置の第１実施形態を示している。この汚水浄化装置は、鋼板材、アルミニウム合金材、ステンレス鋼材、プラスチック材、ＰＣ（プレストレスコンクリート）材、鉄筋コンクリート材、ＦＲＰ（繊維強化プラスチック）材またはプラスチック材等からなる処理タンク１と、この処理タンク１から導出された処理水を貯留する貯留タンク２とを有し、地中に埋設された状態で使用されるものである。
上記処理タンク１には、トイレ３から排出管３ａを介して排出された汚水中の固形分を分離する沈殿分離室４と、この沈殿分離室４から導出された分離水をばっ気処理するばっ気処理室５と、このばっ気処理室５から導出された処理水をさらにばっ気処理する第１，第２貝殻接触ばっ気室６，７と、第２貝殻接触ばっ気室７から導出された処理水を沈殿濾過する沈殿濾過室８と、この沈殿濾過室８から導出された上澄み処理水を脱色処理する活性炭吸着室９とが設けられている。
上記沈殿分離室４は、汚水中の紙および粗大異物等の固形分を沈殿させて分離し、この固形分が分離された分離水を導出管１０により下流側のばっ気処理室５に導出するともに、このばっ気室処理２に浮遊物が流失するのをバッフルプレート１１により阻止するように構成されている。なお、上記沈殿濾過室４において沈殿した固形分は、定期的（例えば１年毎）に外部に吸い出されて処理される。
上記ばっ気処理室５には、従来周知のプラスチック製接触材１２が充填されるとともに、その下方にブロア１３から供給された空気を放出する散気管１４が配設されている。そして、上記沈降分離室４からばっ気処理室５内に導入された分離水が、散気管１４から放出された空気によって攪拌されつつ、上記プラスチック製接触材１２に付着して生息した微生物により、上記分離水中の汚物が分離処理されるように構成されている。
また、上記第１，第２貝殻接触ばっ気室６，７には、メッシュ状の袋体内にカキ、ホタテ貝、ホッキ貝、真珠貝、アサリ、シジミ、はまぐり、アオヤギ、カラス貝、サザエ、ミル貝または貝化石等からなる貝殻が収容されてなる貝殻接触材１５が充填されるとともに、その下方に上記ブロア１３から供給された空気を放出する散気管１６が配設されている。
上記貝殻は、第３図に示すように、炭酸カルシウムを主成分として、かつリン酸カルシウムや炭酸マグネシウム等の微量成分を含有しており、外面側の殻皮層ａと、内面側の真珠層ｂと、その間の角柱層ｃとからなっている。そして、第４図に示すように、上記貝殻の真珠層ｂが除去された状態で袋体内に収容されることにより上記接触材１５を構成している。
上記貝殻の真珠層ｂを除去する方法としては、適宜の工具を使用して真珠層ｂを剥離する方法、海岸の波打ち際に貝殻を１年間程度放置して真珠層ｂを自然浸食させる方法、塩酸等の薬品を使用して真珠層ｂを溶解させる方法、または多数の貝殻を攪拌機に攪拌して貝殻同士を接触させることにより真珠層ｂを剥離させる方法等がある。なお、上記自然浸食もしくは攪拌法により真珠層ｂを除去する場合には、この真珠層ｂとともに、上記殻皮層ａの一部も除去されることになる。
そして、上記ばっ気処理室５から第１貝殻接触ばっ気室６内にオーバフローして導入された処理水は、散気管１６から放出された空気によって攪拌されつつ、上記貝殻接触材１５に付着した状態で生息する微生物により、上記処理水中の汚物が分解処理される。また、上記第１貝殻接触ばっ気室６から第２貝殻接触ばっ気室７内にオーバフローして導入された処理水は、散気管１６から放出された空気によって攪拌されつつ、上記貝殻接触材１５に付着した状態で生息する微生物により、上記処理水中の汚物がさらに分解処理された後、上記沈殿濾過室８にオーバフローして導出される。
上記沈殿濾過室８は、多孔質体からなるゼオライトが収容された濾過体１７を有し、上記第２貝殻接触ばっ気室７から導出された処理水中の不純物を沈殿させて汚水と上澄み水とを分離するとともに、この上澄み水中の微細な不純物を上記濾過体１７によって濾過した後、導出管１８を介して上記活性炭吸着室９に上澄み処理水を導出するように構成されている。
また、上記活性炭吸着室９には、第５図に示すように、複数の透孔が形成された仕切り板１９，２０が上下に設置された吸着筒２１と、この吸着筒２１内の仕切り板１９，２０間に配設された活性炭収容体２２と、活性炭吸着室９内の処理水を吸引して上記活性炭収容体２２の下方部に吐出する循環パイプ２３および循環ポンプ２４を有する循環手段２５とが設けられている。上記活性炭収容体２２は、布材等からなる袋体内に石炭系の活性炭が充填されることにより構成されている。上記循環手段２５により活性炭収容体２２の下方部に吐出された処理水が、上記吸着筒２１内を通って上記活性炭吸着室９内を循環するとともに、その際、活性炭収容体２２内の石炭系活性炭により色素成分が吸着されて効果的に脱色されるようになっている。
上記活性炭吸着室９において脱色処理されることにより生成された浄化水は、第１図に示すように、その一部がポンプ２６および給水パイプ２７を有する給水手段２８により、トイレ３の給水タンク２９に供給されるとともに、残りが、導出管３０を介して上記貯留タンク２に導出されて貯留されたように構成されている。
上記のように汚水浄化装置の第１，第２貝殻接触ばっ気室６，７内に充填される接触材１５として、少なくとも内面側の真珠層ｂが除去されて多孔質の角柱層ｃが露出したカキ殻等からなる貝殻を使用したため、この接触材１５と、上記ばっ気処理室５から第１，第２貝殻接触ばっ気室６，７内に導入された処理水中の汚物を分解処理する微生物との親和性を高めて、これらを好適に繁殖させることができる。したがって、上記多孔質の角柱層ｃにおいて繁殖した微生物により、処理水中の汚物を効果的に分解処理して汚水を効率よく浄化することができる。
しかも、上記汚水浄化装置の設置当初から、上記微生物の分解処理機能等を発揮させることができるため、上記汚水浄化装置により浄化処理された浄化水を外部に放出した場合に、環境汚染が発生するのを効果的に防止することができるとともに、上記浄化水をトイレ３の洗浄水として利用することにより、水資源の有効利用を図ることができるという利点がある。
また、上記ばっ気処理室５および第１，第２貝殻接触ばっ気室６，７において汚水がばっ気処理されることにより、処理水が酸性化した場合には、上記貝殻から炭酸カルシウムを迅速に溶解させて、上記処理水を中和することができる。すなわち、上記真珠層ｂが除去された貝殻は、その溶解が進行し易いという特性を有しているため、酸性化した処理水を効果的に中性化できるという利点がある。
しかも、上記のように第１，第２貝殻接触ばっ気室６，７において処理水が中性化されるので、太陽虫等の原生動物および腔腸動物を多量に発生、繁殖させることができる。このため、上記処理水中に存在する大腸菌等の細菌を、上記原生動物等に補食させて絶滅させることにより、上記汚水浄化処装置から導出される浄化処理水中に細菌が混入するのを効果的に防止することができる。
さらに、上記処理水にリン成分が含有されている場合には、これと上記炭酸カルシウムとを反応させてリン酸カルシウムを生成することができる。そして、上記リン酸カルシウムを上記活性炭吸着室９に配設された活性炭収容体２２中の活性炭に吸着させて回収することにより、これを肥料等として使用可能であるという利点がある。
なお、上記処理水中のリン酸カルシウムは、その一部が沈殿濾過室８内において沈殿するとともに濾過体１５により吸着され、その残りが上記活性炭吸着室９内において活性炭に吸着されることとなるが、上記処理水中に残存する微量のリン成分を除去するため、上記活性炭吸着室９内に、カキ殻等の貝殻が充填されたリン吸着筒を配設した構造とすることが望ましい。
第１図および第２図に示す汚水浄化装置による汚水の浄化性能を確認するために、上記第１，第２貝殻接触ばっ気室６，７の接触材１５として真珠層ｂが除去されたカキ殻を使用した本発明例と、従来周知のプラスチック製接触材を使用した比較例１と、上記真珠層ｂを有する未処理のカキ殻を接触材として使用した比較例２とおいて、汚水の浄化性能を確認する実験を行ったところ、下記表１〜７に示すようなデータが得られた。
0003659591.tif 000002
0003659591.tif 000003
0003659591.tif 000004
0003659591.tif 000005
0003659591.tif 000006
0003659591.tif 000007
0003659591.tif 000008
表１は、浄化処理水中のｐＨ濃度を測定したものであり、本発明例では、年間を通してｐＨが中性を示しているのに対し、比較例１，２では、酸性を示す傾向があることが確認された。この表１のデータから、上記接触材１５として真珠層ｂが除去されたカキ殻を使用することにより、浄化処理水が酸性化するのを効果的に防止できることが確認された。
表２〜表４は、上記本発明例および比較例１，２において、浄化処理水中における懸濁物質量（ＳＳｍｇ／Ｌ）、ＢＯＤ（生物的酸素要求量ｍｇ／Ｌ）およびＣＯＤ（化学的酸素要求量ｍｇ／Ｌ）の変化状態をそれぞれ測定したものであり、これらのデータから、上記接触材１５として真珠層ｂが除去されたカキ殻を使用することにより、排水浄化装置の設置当初から汚水中の汚物を効果的に分解して浄化できることが確認された。
表５は、浄化処理水中の大腸菌群数の変化状態を示すデータであり、このデータから、上記接触材１５として真珠層ｂが除去されたカキ殻を使用することにより、汚水中の細菌数を効果的に低減できることが確認された。
表６，７は、浄化処理水中に含有されたリン成分の総量（Ｔ−Ｐ）の変化状態を示すデータおよびリン酸態量（ＰＯ4−Ｐ）の変化状態を示すであり、これらのデータから、上記接触材１５として真珠層ｂが除去されたカキ殻を使用することにより、汚水中のリン成分およびリン酸態量を効果的に低減できることが確認された。
また、上記第１実施形態では、第１，第２貝殻接触ばっ気室６，７の下流側部に、石炭系の活性炭が充填された活性炭収容体２２を有する活性炭吸着室９を配設したため、上記第１，第２貝殻接触ばっ気室６，７において浄化処理された処理水を、上記活性炭吸着室９において効果的に脱色することができる。
すなわち、上記活性炭収容体２２内に石炭系の活性炭を収容してなる本発明例と、ヤシ殻活性炭を収容してなる比較例とにおいて、浄化処理水における色度の変化状態を測定する実験を行ったところ、表８に示すようなデータが得られた。このデータから、上記石炭系の活性炭を使用した場合には、ヤシ殻活性炭を使用した場合、長期間に亘って脱色性能を良好状態に維持できることが確認された。
0003659591.tif 000009
特に、上記第１実施形態に示すように、活性炭吸着室９内の処理水を吸引して上記活性炭収容体２２の下方部に吐出することにより、上記活性炭吸着室９内に処理水を循環させるように構成した場合には、上記処理水中の色素成分を、活性炭収容体２２内の石炭系活性炭により効果的に吸着して脱色作用を向上させることができるという利点がある。
また、上記第１実施形態では、第１，第２貝殻接触ばっ気室６，７の上流側にプラスチック製接触材１２が充填されたばっ気処理室５を配設し、汚水をある程度浄化した状態で、第１，第２貝殻接触ばっ気室６，７に供給するように構成したため、この第１，第２貝殻接触ばっ気室６，７内に配設されたカキ殻等の貝殻が早期に汚損されたり、溶解して消失したりするのを効果的に抑制できるという利点がある。
特に、第６図に示すように、ばっ気処理室５においてばっ気処理された処理水中の汚泥を沈殿させて分離する沈殿室５ａを、上記ばっ気処理室５と、第１貝殻接触ばっ気室６との間に設けた場合には、第１，第２貝殻接触ばっ気室６，７内に配設された貝殻が早期に汚損されたり、溶解して消失したりするのを、より効果的に抑制することができる。
また、第６図に示す第２実施形態では、上記第１貝殻接触ばっ気室６と、第２貝殻接触ばっ気室７との間に脱窒室５０が設置され、この脱窒室５０内に、ポリエチレン製の膜素材等により袋状に形成された膜体容器内にメタノール等の有機炭化化合物からなる水素供与体が封入されたバイオリアクター（例えば特開平１０−３２３６９４号公報、特開２０００−２３７７９１号公報参照）５１が配設されている。
上記のように第１，第２貝殻接触ばっ気室６，７を備えた汚水浄化装置において、上記バイオリアクター５１が配設された脱窒室５０を、上記第２貝殻接触ばっ気室７の上流側部に設けた場合には、上記バイオリアクター５１を構成する膜体容器の表面に付着した脱窒菌による上記水素給与体を利用した脱窒作用により、処理水中にアンモニア成分を、亜硝酸および硝酸を経て窒素ガスに変化させて除去することができるため、処理水中のアンモニア成分および窒素化合物を効果的に減少させることができる。
また、上記構成によれば、バイオリアクター５１から水素供与体が過放出された場合に、これを上記第２貝殻接触ばっ気室７内の貝殻から溶出した炭酸カルシウムにより分解することができるという利点がある。なお、上記脱窒菌は、嫌気性であるために、脱窒室５０に多量の空気を供給することは好ましくないが、散気管１６から少量の空気を供給して脱窒室５０の内部を攪拌するように構成することにより、上記脱窒菌による脱窒作用を向上させることが可能である。
なお、上記第１，第２貝殻接触ばっ気室６，７の間に脱窒室５０を配設してなる上記実施形態に代え、第１貝殻接触ばっ気室６の上流側部に脱窒室５０を配設した構造としてもよい。また、上記第１，第２実施形態では、単一の処理タンク１内に、沈殿分離室４、ばっ気処理室５、沈殿室５ａ、第１，第２貝殻接触ばっ気室６，７、脱窒室５０、沈殿濾過室８および活性炭吸着室９等を配設した例について説明したが、上記排水浄化装置を構成する各室のうち必要とされるものおよび配置等は、上記実施形態に限定されることなく、本発明の趣旨を逸脱しない範囲で種々の変更が可能である。
例えば第７図に示すように、沈殿分離室４、ばっ気処理室５および沈殿室５ａを有する一次処理タンク３１と、第１，第２貝殻接触ばっ気室６，７、脱窒室５０、沈殿濾過室８および活性炭吸着室９等を有する二次処理タンク３２とを別体に形成した構造としてもよい。また、上記沈殿分離室４およびばっ気処理室５と、沈殿室５ａとを有する一次処理タンク３１を省略し、トイレ３から排出された汚水を、上記処理タンク３２の第１貝殻接触ばっ気室６に直接供給し、この第１接触ばっ気室６、脱窒室５０、第２貝殻接触ばっ気室７、沈殿濾過室８および活性炭吸着室９に順次供給して浄化処理するようにしてもよい。
産業上の利用可能性
以上のように本発明に係る汚水浄化装置は、トイレ等が排出された汚水中の汚物を分解して浄化処理するのに有用であり、特に上記汚水浄化処理装置を設置した直後から優れた汚水の浄化処理機能を発揮させることができ、かつ浄化処理水が酸性化するのを防止するのに適している。
【図１】
0003659591.tif 000010
【図２】
0003659591.tif 000011
【図３】
0003659591.tif 000012
【図４】
0003659591.tif 000013
【図５】
0003659591.tif 000014
【図６】
0003659591.tif 000015
【図７】
0003659591.tif 000016